(57)【要約】【課題】フレキシブル配線基板が誤ってコネクターと制御基板との間の隙間に挿入されるのを防ぎ、フレキシブル配線基板や制御基板或いはコネクターを傷付けたり破損するのを防止可能な、プラズマディスプレイ装置を提供する。【解決手段】プラズマディスプレイパネル１００と制御基板４０１とを接続するフレキシブル配線基板４０３と、制御基板４０１に配置されかつフレキシブル配線基板４０３と接続するためのコネクター４０２とを有するプラズマディスプレイ装置において、コネクター４０２と制御基板４０１との間にフレキシブル基板４０３が挿入されるのを防止するための障害物を設ける。この障害物は、コネクターに設けた凸部４４０或いは制御基板に実装した部品５５０の少なくとも一方で構成する。【選択図】図６
2007218973.tif 000002
【特許請求の範囲】
【請求項１】
プラズマディスプレイパネルと制御基板とを接続するフレキシブル配線基板と、前記制御基板に配置されかつ前記フレキシブル配線基板と接続するためのコネクターとを有し、
前記コネクターと前記制御基板との間に前記フレキシブル基板が挿入されるのを防止するための障害物を設けたプラズマディスプレイ装置。
【請求項２】
前記障害物は前記コネクターに設けた凸部で構成した
請求項１に記載のプラズマディスプレイ装置。
【請求項３】
前記障害物は前記制御基板に実装した部品で構成した
請求項１に記載のプラズマディスプレイ装置。
【発明の詳細な説明】
【技術分野】
【０００１】
本発明は、プラズマディスプレイパネルを用いた画像表示装置であるプラズマディスプレイ装置に関するものである。
【背景技術】
【０００２】
プラズマディスプレイパネル（以下、「パネル」と略記する）は、大画面、薄型、軽量であることを特徴とする視認性に優れた表示デバイスである。このパネルを用いたプラズマディスプレイ装置が多く提案されている。
【０００３】
このような従来のプラズマディスプレイ装置に使われるパネルは、走査電極と維持電極と誘電体層と保護層とが形成された前面ガラス基板と、データ電極と絶縁体層と隔壁と蛍光体層とが形成された背面ガラス基板とを対向配置するとともに、周囲を封着してその間に放電ガスを封入し、放電空間を形成している。
【０００４】
走査電極、維持電極、データ電極には、それぞれの電極を駆動することによって放電空間で放電を起こし、画像を表示するための駆動信号が入力される。
【０００５】
これらの駆動信号は、制御基板において生成されるが、この制御基板とパネルを接続するために、自由に屈曲できるフレキシブル配線基板が使用される。
【０００６】
このフレキシブル配線基板を経由して、制御基板で生成された駆動信号をパネルの電極に送り、各電極を駆動し、放電空間で放電を起こして画像を表示することができる。
【０００７】
フレキシブル配線基板とは、ポリエステル等、絶縁性フィルムの片面或いは両面に、銅等、導体の微細配線パターンを形成した、いわゆるフレキシブル、即ち、折り曲げやねじり等が可能な配線基板をいう。
【０００８】
このようなフレキシブル配線基板を使用するのは、互いに近接して並行に配置されている基板同士を接続するのに、自由に屈曲できることが便利であることと、狭い面積に多くの信号を接続するための配線パターンを配置できることと、コネクターと異方性導電シートを使って、容易に接続することができる等、多くの利点を有しているからである。
【０００９】
このように、フレキシブル配線基板を使って、制御基板とパネルとを接続する例が、下記特許文献１に記載されている。
【００１０】
図７に、従来のプラズマディスプレイ装置において、制御基板７０１上にコネクター７０２が実装され、このコネクター７０２を介してフレキシブル配線基板７０３と接続されている状態の概略図を示す。図７（Ａ）は正面から見た状態を示しており、図７（Ｂ）は側面から見た状態を示している。なお、図７では却って煩雑となって分り難くなるのを避けるため、細部を省略し、本発明の本質と直接関連する部分だけを取り出して示しているので、必ずしも正面図と側面図とは正確に一致していない。
【００１１】
コネクター７０２は、内部に多数の接続ピン７０５を有している。この接続ピン７０５は、フレキシブル配線基板７０３の配線数と同じ数だけ存在するが、図７（Ｂ）側面図では重なって１つしか示されていない。また、図７（Ａ）正面図では、両端側のそれぞれ４つずつだけを示しているが、実際には上記のようにフレキシブル配線基板７０３の配線数と同じ数だけ存在する。また、接続ピン７０５の配置されている間隔（ピッチ）も概略であり正確なものではない。さらにまた、接続ピン７０５は必ずしもこのように並行に配置されるだけでなく、いわゆる千鳥状（前後にシフトして交互に）に配置されることもある。
【００１２】
この接続ピン７０５の下部は、制御基板７０１に設けられたスルーホール７０６を貫通して、制御基板７０１と接続されている。なお、スルーホール７０６は、図示を簡単かつ分りやすくするため、図７（Ｂ）側面図だけに示しているが、実際には図７（Ａ）正面図にも存在する。また、スルーホールの径も見やすくすることを優先し、正確なものではない。
【００１３】
フレキシブル配線基板７０３の端部は、コネクター７０２の嵌合口７０４から挿入され、フレキシブル配線基板７０３の下面が接続ピン７０５の先端の接触部７０７と接触している。なお、これはフレキシブル配線基板７０３の下面だけに配線パターンが存在する例であって、フレキシブル配線基板７０３の両面に配線パターンが存在する例では、接続ピン７０５の先端の接触部７０７が、フレキシブル配線基板７０３の上面と接触していることもある。
【００１４】
また、フレキシブル配線基板７０３と接続ピン７０５とを圧接するための部材・機構や、フレキシブル配線基板７０３とコネクター７０２との嵌合が脱落しないように固定するためのロック部材・機構等も存在するが、これらについても、却って煩雑となって分り難くなるのを避けるため、省略している。
【００１５】
このフレキシブル配線基板７０３のもう一方（反対側）の端部は、パネル上の各電極と異方性導電シートを介して圧接されているが、これらについても、本発明の本質と直接関連しないので、図示と説明を省略する。
【特許文献１】特開２００４−２５８４７３号公報
【発明の開示】
【発明が解決しようとする課題】
【００１６】
しかしながら、上記のような従来のプラズマディスプレイ装置では、取り付けのための便宜、半田付け時の熱対策、その他の事由によって、コネクター７０２と制御基板７０１との間に隙間７０８があり、その隙間７０８に誤ってフレキシブル配線基板７０３が挿入されることがあった。
【００１７】
この隙間７０８に、フレキシブル配線基板７９３が誤って挿入された状態を、図８に示す。この状態では、当然、フレキシブル配線基板７９３上の配線パターンとコネクター７０２の接続ピン７０５とは接続されないので、制御基板７０１で生成された駆動信号は、パネルに送られず、走査電極、維持電極、データ電極の各電極を駆動することもないので、当然、パネルが発光することもなく、すぐに気が付いて、誤って挿入されたフレキシブル配線基板７９３を引き出し、正しい位置、即ち、嵌合口７０４へ挿入することができる。
【００１８】
しかしながら、一旦、誤ってフレキシブル配線基板７９３を隙間７０８に挿入することにより、フレキシブル配線基板７９３や、制御基板７０１或いはコネクター７０２を傷付けたり破損することもあった。
【００１９】
更に、パネルやプラズマディスプレイ装置の動作試験中は、正常にフレキシブル配線基板７０３をコネクター７０２の嵌合口７０４へ挿入しており、正常に動作していたが、何らかの事情が起こって、プラズマディスプレイ装置の出荷直前になって、一旦、フレキシブル配線基板７０３をコネクター７０２から引き出し、再度、フレキシブル配線基板７０３をコネクター７０２に接続する時に、誤って隙間７０８に挿入してしまうことがあると、気が付かずにそのまま出荷されてしまう可能性も皆無ではなかった。
【課題を解決するための手段】
【００２０】
本発明は、上記のような課題を解決するために行われたもので、そのために以下のような構成を採用する。
【００２１】
請求項１に記載の発明は、プラズマディスプレイパネルと制御基板とを接続するフレキシブル配線基板と、制御基板に配置されかつフレキシブル配線基板と接続するためのコネクターとを有し、コネクターと制御基板との間にフレキシブル基板が挿入されるのを防止するための障害物を設けたプラズマディスプレイ装置である。
【００２２】
このような構成を採ることによって、コネクターと制御基板との隙間に誤ってフレキシブル配線基板が挿入されることを、未然に防止することが可能になる。
【００２３】
請求項２に記載の発明では、障害物をコネクターに設けた凸部で構成する。
【００２４】
このような構成を採ることによって、コネクターの形状、特にそのケース（ハウジング）に変更を加えるだけで、それ以外の何らの変更や改造を必要とせずに、コネクターと制御基板との隙間に、誤ってフレキシブル配線基板が挿入されることを、未然に防止することが可能になる。
【００２５】
請求項３に記載の発明では、障害物を制御基板に実装した部品で構成する。
【００２６】
このような構成を採ることによって、コネクターに変更を加える必要もなく、新しい部品や構成を追加する必要もなく、ただ、現在使われている部品の実装場所を変更するだけで、コネクターと制御基板との隙間に、誤ってフレキシブル配線基板が挿入されることを、未然に防止することが可能になる。
【発明の効果】
【００２７】
本発明によれば、単純かつ小規模な変更だけで、簡易な構成で、コネクターと制御基板との隙間に、誤ってフレキシブル配線基板が挿入されることを、未然に防止することができるプラズマディスプレイ装置を提供することが可能になる。
【発明を実施するための最良の形態】
【００２８】
以下、本発明の実施の形態におけるプラズマディスプレイ装置について、図面を用いて説明をする。
【００２９】
（実施の形態１）
図１は、本発明の実施の形態１におけるプラズマディスプレイ装置に用いるパネルの構造を示す分解斜視図である。パネル１００は、ガラス製の前面基板１２１と背面基板１３１とを対向配置して、その間に多数の放電セル１３６（図２参照）を形成するように構成されている。
【００３０】
前面基板１２１には、表示電極対を構成する走査電極１２２と維持電極１２３とが、互いに平行に対をなして複数形成されている。走査電極１２２と維持電極１２３とを覆うように誘電体層１２４が形成され、誘電体層１２４上には保護層１２５が形成されている。
【００３１】
背面基板１３１には、絶縁体層１３３で覆われた複数のデータ電極１３２が設けられ、絶縁体層１３３上に井桁状の隔壁１３４が設けられている。絶縁体層１３３の表面と隔壁１３４の側面には、赤青緑に発光する蛍光体が交互に塗布された蛍光体層１３５が設けられている。
【００３２】
走査電極１２２および維持電極１２３とデータ電極１３２とが交差するように、前面基板１２１と背面基板１３１とが対向配置されており、電極の交差するそれぞれの位置に放電セル１３６が形成される。放電セルには放電ガスとして、例えばネオンとキセノンの混合ガスが封入されている。
【００３３】
なお、パネル１００の構造は必ずしも上述したものに限られるわけではなく、例えば井桁状の隔壁１３４のかわりにストライプ状の隔壁を備えていても構わない。
【００３４】
図２は、本発明の実施の形態に用いるパネル１００の電極配列図である。行方向にｎ本の走査電極１２２（ＳＣＮ１〜ＳＣＮｎ）およびｎ本の維持電極１２３（ＳＵＳ１〜ＳＵＳｎ）が配列され、列方向にｍ本のデータ電極１３２（Ｄ１〜Ｄｍ）が配列されている。
【００３５】
そして、１対の走査電極１２２（ＳＣＮｉ）および維持電極１２３（ＳＵＳｉ）（ｉ＝１〜ｎ）と、１つのデータ電極１３２（Ｄｊ）（ｊ＝１〜ｍ）とが交差した部分に、放電セル１３６が形成され、放電セル１３６は放電空間内にｍ×ｎ個形成されている。
【００３６】
図３は、本発明の実施の形態におけるプラズマディスプレイ装置の、回路ブロック図である。このプラズマディスプレイ装置は、パネル１００、画像信号処理部１１７、データ電極駆動部１１２、走査電極駆動部１１３、維持電極駆動部１１４、タイミング発生部１１５、および各回路ブロックに必要な電源を供給する電源部（図示せず）、を備えている。
【００３７】
このプラズマディスプレイ装置は、その他の部分も多く備えているが、本発明の本質と直接関係しないものは、却って煩雑となって本質が不明確となるのを避けるため図示と説明を省略する。
【００３８】
画像信号処理部１１７は、画像信号ｓｉｇを、各放電セルのサブフィールド毎の発光・非発光を示す画像データに変換する。
【００３９】
データ電極駆動部１１２は、サブフィールド毎の画像データを、各データ電極１３２（Ｄ１〜Ｄｍ）に対応する信号に変換し、各データ電極１３２を駆動する。
【００４０】
走査電極駆動部１１３は、各走査電極１２２（ＳＣＮ１〜ＳＣＮｎ）に所定の駆動電圧波形を供給する。維持電極駆動部１１４は、各維持電極１２３（ＳＵＳ１〜ＳＵＳｎ）に所定の駆動電圧波形を供給する。
【００４１】
タイミング発生部１１５は、水平同期信号Ｈと垂直同期信号Ｖをもとにして、各電極駆動部が駆動電圧波形を制御するために必要な各種タイミング信号を発生し、各電極駆動部へ供給する。
【００４２】
背景技術でも説明したとおり、走査電極駆動部１１３、データ電極駆動部１１２、維持電極駆動部１１４は、１つ又は複数の制御基板上に実装され、これらの駆動信号は、制御基板において生成される。そして、この制御基板とパネル１００を接続し、制御基板で生成された駆動信号をパネル１００の各電極に送り、電極を駆動し、パネル１００の各放電セル１３６で放電を起こし、最終的にはパネル１００に画像を表示するために、自由に屈曲できるフレキシブル配線基板が使用される。
【００４３】
上記のとおり、フレキシブル配線基板とは、ポリエステル等、絶縁性フィルムの片面或いは両面に、銅等、導体の微細配線パターンを形成した、いわゆるフレキシブル、即ち、折り曲げやねじり等が可能な配線基板をいう。このようなフレキシブル配線基板を使用するのは、互いに近接して並行に配置されている基板同士を接続するのに、自由に屈曲できることが便利であることと、狭い面積に多くの信号を接続するための配線パターンを配置できることと、コネクターと異方性導電シートを使って、容易に接続することができる等、多くの利点を有しているからである。
【００４４】
図４に、本発明のプラズマディスプレイ装置において、制御基板４０１上にコネクター４０２が実装され、このコネクター４０２を介してフレキシブル配線基板４０３と接続されている状態の概略図を示す。図４（Ａ）は正面から見た状態を示しており、図４（Ｂ）は側面から見た状態を示している。なお、図４では却って煩雑となって分り難くなるのを避けるため、細部を省略し、本発明の本質と直接関連する部分だけを取り出して示しているので、必ずしも正面図と側面図とは正確に一致していない。
【００４５】
コネクター４０２は、内部に多数の接続ピン４０５を有している。この接続ピン４０５は、フレキシブル配線基板４０３の配線数と同じ数だけ存在するが、図４（Ｂ）側面図では重なって１つしか示されていない。また、図４（Ａ）正面図では、両端側のそれぞれ４つずつだけを示しているが、実際には上記のようにフレキシブル配線基板４０３の配線数と同じ数だけ存在する。また、接続ピン４０５の配置されている間隔（ピッチ）も概略であり正確なものではない。さらにまた、接続ピン４０５は必ずしもこのように並行に配置されるだけでなく、いわゆる千鳥状（前後にシフトして交互に）に配置されることもある。
【００４６】
この接続ピン４０５の下部は、制御基板４０１に設けられたスルーホール４０６を貫通して、制御基板４０１と接続されている。なお、スルーホール４０６は、図示を簡単かつ分りやすくするため、図４（Ｂ）側面図だけに示しているが、実際には図４（Ａ）正面図にも存在する。スルーホールの径も見やすくすることを優先し、正確なものではない。
【００４７】
フレキシブル配線基板４０３の端部は、コネクター４０２の嵌合口４０４から挿入され、フレキシブル配線基板４０３の下面が接続ピン４０５の先端の接触部４０７と接触している。なお、これはフレキシブル配線基板４０３の下面だけに配線パターンが存在する例であって、フレキシブル配線基板４０３の両面に配線パターンが存在する例では、接続ピン４０５の先端の接触部４０７が、フレキシブル配線基板４０３の上面と接触していることもある。
【００４８】
フレキシブル配線基板４０３と接続ピン４０５とを圧接するための部材・機構や、フレキシブル配線基板４０３とコネクター４０２との嵌合が脱落しないように固定するためのロック部材・機構等も存在するが、これらについても、却って煩雑となって分り難くなるのを避けるため、省略している。
【００４９】
このフレキシブル配線基板４０３のもう一方（反対側）の端部は、パネル上の各電極と異方性導電シートを介して圧接されているが、これらについても、本発明の本質と直接関連しないので、図示と説明を省略する。
【００５０】
本発明のプラズマディスプレイ装置では、コネクター４０２を制御基板４０１に取り付ける時の便宜、半田付け時の熱対策、その他の事由によって、コネクター４０２と制御基板４０１との間に隙間４０８があり、この隙間４０８の一部を埋めるようにコネクター４０２に凸部４４０が存在する。図４では、この凸部４４０を１つだけ示しているが、必ずしも凸部４４０は１つと限らず、複数存在しても構わない。
【００５１】
隙間４０８の一部を埋めるように、この凸部４４０が存在するために、隙間４０８に誤ってフレキシブル配線基板４０３が挿入されることはない。
【００５２】
従って、凸部４４０は、隙間４０８に誤ってフレキシブル配線基板４０３が挿入されるのを防止できる大きさ、数、形であるならばどのようなものでもよく、必ずしも凸部４４０の先端が制御基板４０１と接触している必要はなく、隙間があっても構わない。しかしながら、その隙間はフレキシブル配線基板４０３が挿入される大きさであってはならない。
【００５３】
また、凸部４４０は、必ずしもコネクター４０２の奥行き方向に、コネクター４０２と同じ大きさであることは必要でなく、凸部４４０はコネクター４０２の奥行き方向に対して一部だけであっても構わない。但し、その大きさ或いは位置は、フレキシブル配線基板４０３が誤って隙間４０８に挿入されるのを防止する、或いは、フレキシブル配線基板４０３が誤って隙間４０８に挿入されたことを直ちに判断することができるものでなければならない。
【００５４】
このように、本発明のプラズマディスプレイ装置では、フレキシブル配線基板４０３接続用のコネクター４０２に凸部４４０を設けるだけで、それ以外には何ら変更を必要とすることなく、フレキシブル配線基板４０３が誤って隙間４０８に挿入されることを防止し、フレキシブル配線基板４４３や制御基板４０１或いはコネクター４０２を傷付けたり破損することを防止することができる。
【００５５】
更にそれだけでなく、最悪、フレキシブル配線基板４０３を誤って隙間４０８に挿入したままの状態で出荷されてしまうことも防止することができる。
【００５６】
（実施の形態２）
次に、本発明の実施の形態２におけるプラズマディスプレイ装置について、図面を用いて説明をする。
【００５７】
本発明の実施の形態２のプラズマディスプレイ装置は、多くの点について、本発明の実施の形態１のプラズマディスプレイ装置と同様であるから、本発明の実施の形態２のプラズマディスプレイ装置が本発明の実施の形態１のプラズマディスプレイ装置と同様の点については説明を省略し、本発明の実施の形態２のプラズマディスプレイ装置が本発明の実施の形態１のプラズマディスプレイ装置と異なる点についてのみ、説明をする。
【００５８】
図５に、実施の形態２のプラズマディスプレイ装置において、制御基板５０１上にコネクター５０２が実装され、このコネクター５０２を介してフレキシブル配線基板５０３と接続されている状態の概略図を示す。図５（Ａ）は正面から見た状態を示しており、図５（Ｂ）は側面から見た状態を示している。なお、図５では却って煩雑となって分り難くなるのを避けるため、細部を省略し、本発明の本質と直接関連する部分だけを取り出して示しているので、必ずしも正面図と側面図とは正確に一致していない。
【００５９】
コネクター５０２は、内部に多数の接続ピン５０５を有している。この接続ピン５０５は、フレキシブル配線基板５０３の配線数と同じ数だけ存在するが、図５（Ｂ）側面図では重なって１つしか示されていない。また、図５（Ａ）正面図では、両端側のそれぞれ４つずつだけを示しているが、実際には上記のようにフレキシブル配線基板５０３の配線数と同じ数だけ存在する。また、接続ピン５０５の配置されている間隔（ピッチ）も概略であり正確なものではない。さらにまた、接続ピン５０５は必ずしもこのように並行に配置されるだけでなく、いわゆる千鳥状（前後にシフトして交互に）に配置されることもある。
【００６０】
この接続ピン５０５の下部は、制御基板５０１に設けられたスルーホール５０６を貫通して、制御基板５０１と接続されている。なお、スルーホール５０６は、図示を簡単かつ分りやすくするため、図５（Ｂ）側面図だけに示しているが、実際には図５（Ａ）正面図にも存在する。また、スルーホールの径も見やすくすることを優先し、正確なものではない。
【００６１】
フレキシブル配線基板５０３の端部は、コネクター５０２の嵌合口５０４から挿入され、フレキシブル配線基板５０３の下面が接続ピン５０５の先端の接触部５０７と接触している。なお、これはフレキシブル配線基板５０３の下面だけに配線パターンが存在する例であって、フレキシブル配線基板５０３の両面に配線パターンが存在する例では、接続ピン５０５の先端の接触部５０７が、フレキシブル配線基板５０３の上面と接触していることもある。
【００６２】
フレキシブル配線基板５０３と接続ピン５０５とを圧接するための部材・機構や、フレキシブル配線基板５０３とコネクター５０２との嵌合が脱落しないように固定するためのロック部材・機構等も存在するが、これらについても、却って煩雑となって分り難くなるのを避けるため、省略している。
【００６３】
このフレキシブル配線基板５０３のもう一方（反対側）の端部は、パネル上の各電極と異方性導電シートを介して圧接されているが、これらについても、本発明の本質と直接関連しないので、図示と説明を省略する。
【００６４】
本発明のプラズマディスプレイ装置では、コネクター５０２を制御基板５０１に取り付ける時の便宜、半田付け時の熱対策、その他の事由によって、コネクター５０２と制御基板５０１との間に隙間５０８があり、この隙間５０８の手前（図５（Ａ）正面図の方向で手前、図５（Ｂ）側面図の方向では左側）の制御基板５０１上に、部品５５０が実装されている。
【００６５】
この部品５５０は、制御基板５０１の他の部分に実装されていた、制御基板５０１において各種の駆動パルスを生成するための部品や、それに何らかの関連をする部品、或いはその他のどのような部品であっても構わない。
【００６６】
また、図５では、この部品５５０を１つだけ示しているが、必ずしも部品５５０は１つと限らず、複数存在しても構わない。
【００６７】
隙間５０８の手前を塞ぐように、この部品５５０が存在するために、隙間５０８に誤ってフレキシブル配線基板５０３が挿入されることはない。
【００６８】
従って、部品５５０は、隙間５０８に誤ってフレキシブル配線基板５０３が挿入されるのを防止できる大きさ、数、形であるならばどのようなものでもよく、必ずしも部品５５０の上端が隙間５０８の上面を超えている必要はなく、部品５５０と隙間５０８の上面との間に新しい隙間があっても構わない。しかしながら、その新しい隙間はフレキシブル配線基板５０３が挿入される大きさであってはならない。
【００６９】
このように、本発明のプラズマディスプレイ装置では、隙間５０８の手前の制御基板５０１上に、部品５５０を実装することで、何らの新しい部品の追加や変更をすることなく、フレキシブル配線基板５５３が誤って隙間５０８に挿入されることを防止し、フレキシブル配線基板５５３や制御基板５０１或いはコネクター５０２を傷付けたり破損することを防止することができる。
【００７０】
更にそれだけでなく、最悪、フレキシブル配線基板５０３を誤って隙間５０８に挿入したままの状態で出荷されてしまうことも防止することができる。
【００７１】
（実施の形態３）
次に、本発明の実施の形態３におけるプラズマディスプレイ装置について、図面を用いて説明をする。
【００７２】
本発明の実施の形態３のプラズマディスプレイ装置は、多くの点について、本発明の実施の形態１及び本発明の実施の形態２のプラズマディスプレイ装置と同様であるから、本発明の実施の形態３のプラズマディスプレイ装置がこれらのプラズマディスプレイ装置と同様の点については説明を省略し、本発明の実施の形態３のプラズマディスプレイ装置がこれらのプラズマディスプレイ装置と異なる点についてのみ、説明をする。
【００７３】
図６に、実施の形態３のプラズマディスプレイ装置において、制御基板６０１上にコネクター６０２が実装され、このコネクター６０２を介してフレキシブル配線基板６０３と接続されている状態の概略図を示す。図６（Ａ）は正面から見た状態を示しており、図６（Ｂ）は側面から見た状態を示している。図６では却って煩雑となって分り難くなるのを避けるため、細部を省略し、本発明の本質と直接関連する部分だけを取り出して示しているので、必ずしも正面図と側面図とは正確に一致していない。
【００７４】
コネクター６０２、接続ピン６０５、スルーホール６０６、嵌合口６０４、接続ピン６０５、接触部６０７、これらについては、本発明の実施の形態１及び本発明の実施の形態２のプラズマディスプレイ装置と同様であるから説明を省略する。
【００７５】
本発明のプラズマディスプレイ装置では、コネクター６０２を制御基板６０１に取り付ける時の便宜、半田付け時の熱対策、その他の事由によって、コネクター６０２と制御基板６０１との間に隙間６０８があり、この隙間６０８の一部を埋めるようにコネクター６０２に凸部６４０が存在し、さらに、この隙間６０８の手前（図６（Ａ）正面図の方向で手前、図６（Ｂ）側面図の方向では左側）の制御基板６０１上に、部品６５０が実装されている。
【００７６】
この部品６５０は、制御基板６０１の他の部分に実装されていた、制御基板６０１において各種の駆動パルスを生成するための部品や、それに何らかの関連をする部品、或いはその他のどのような部品であっても構わない。
【００７７】
また、図６では、この部品６５０を１つだけ示しているが、必ずしも部品６５０は１つと限らず、複数存在しても構わない。同様に、図６では、この凸部６４０を１つだけ示しているが、必ずしも凸部６４０は１つと限らず、複数存在しても構わない。
【００７８】
隙間６０８の一部を埋めるように、この凸部６４０が存在し、さらに、隙間６０８の手前の制御基板６０１上に、部品６５０が実装されているために、隙間６０８に誤ってフレキシブル配線基板６０３が挿入されることを、より一層確実に防止することができる。
【００７９】
凸部６４０は、隙間６０８に誤ってフレキシブル配線基板６０３が挿入されるのを防止できる大きさ、数、形であるならばどのようなものでもよく、必ずしも凸部６４０の先端が制御基板６０１と接触している必要はなく、隙間があっても構わない。もしも凸部６４０の先端と制御基板６０１との間に隙間があったとしても、部品６５０が存在することによって、フレキシブル配線基板６０３が誤って隙間６０８に挿入されるのを防止できるからである。
【００８０】
凸部６４０は、隙間６０８の一部を埋めるだけでなく、全部を埋めるものであっても構わないし、凸部６４０は、必ずしもコネクター６０２の奥行き方向に、コネクター６０２と同じ大きさであることは必要でない。図６に示す凸部６４０は、コネクター６０２の奥行き方向に対して前の方の一部だけである。
【００８１】
このように、本発明のプラズマディスプレイ装置では、フレキシブル配線基板６０３接続用のコネクター６０２に凸部６４０を設けると同時に、隙間６０８の手前の制御基板６０１上に部品６５０を実装することで、それ以外には何ら変更を必要とすることなく、フレキシブル配線基板６０３が誤って隙間６０８に挿入されることをより一層確実に防止し、フレキシブル配線基板６０３や制御基板６０１或いはコネクター６０２を傷付けたり破損することを防止することができる。更にそれだけでなく、最悪、フレキシブル配線基板６０３を誤って隙間６０８に挿入したままの状態で出荷されてしまうことも防止することができる。
【産業上の利用可能性】
【００８２】
本発明によれば、フレキシブル配線基板が誤ってコネクターと制御基板との間の隙間に挿入されることを防止し、フレキシブル配線基板や制御基板或いはコネクターを傷付けたり破損することを防止することができる。更にそれだけでなく、最悪、フレキシブル配線基板を誤って挿入したままの状態で出荷されてしまうことも防止可能なプラズマディスプレイ装置を提供することが可能になり、その産業上の利用可能性は極めて高い。
【図面の簡単な説明】
【００８３】
【図１】本発明の実施の形態であるプラズマディスプレイ装置に用いるパネルの構造を示す分解斜視図
【図２】本発明の実施の形態であるプラズマディスプレイ装置に用いるパネルの電極配列図
【図３】本発明の実施の形態であるプラズマディスプレイ装置の回路ブロック図
【図４】実施の形態１のプラズマディスプレイ装置において制御基板上にコネクターが実装されている状態の概略図
【図５】実施の形態２のプラズマディスプレイ装置において制御基板上にコネクターが実装されている状態の概略図
【図６】実施の形態３のプラズマディスプレイ装置において制御基板上にコネクターが実装されている状態の概略図
【図７】従来のプラズマディスプレイ装置において制御基板上にコネクターが実装されている状態の概略図
【図８】従来のプラズマディスプレイ装置において隙間にフレキシブル配線基板が誤って挿入された状態を示す図
【符号の説明】
【００８４】
１００    パネル
１１２    データ電極駆動部
１１３    走査電極駆動部
１１４    維持電極駆動部
１１５    タイミング発生部
１１７    画像信号処理部
１２１    背面ガラス基板
１２２    走査電極
１２３    維持電極
１２４    誘電体層
１２５    保護層
１３１    背面ガラス基板
１３２    データ電極
１３３    絶縁体層
１３４    隔壁
１３５    蛍光体層
１３６    放電セル
４０１，５０１，６０１，７０１    制御基板
４０２，５０２，６０２，７０２    コネクター
４０３，５０３，６０３，７０３    フレキシブル配線基板
４０４，５０４，６０４，７０４    嵌合口
４０５，５０５，６０５，７０５    接続ピン
４０６，５０６，６０６，７０６    スルーホール
４０７，５０７，６０７，７０７    接触部
４０８，５０８，６０８，７０８    隙間
４４０，６４０    凸部
５５０，６５０    部品
７９３    誤って挿入されたフレキシブル配線基板
【図１】
2007218973.tif 000003
【図２】
2007218973.tif 000004
【図３】
2007218973.tif 000005
【図４】
2007218973.tif 000006
【図５】
2007218973.tif 000007
【図６】
2007218973.tif 000008
【図７】
2007218973.tif 000009
【図８】
2007218973.tif 000010